(57)【要約】【課題】本発明は、プラズマ表示パネル（ＰＤＰ）の駆動方法及びプラズマ表示装置に関する。【解決手段】本発明によるプラズマ表示装置において、プラズマ表示パネルの温度が常温より低い場合、維持期間の第１期間で、維持電極と近く形成されるアドレス電極の壁電圧を消去する波形を印加する。このようにすれば、低温で対向放電が充分に起こらないプラズマ表示装置の特性によって直前のサブフィールドで維持放電が起こった放電セルに対し、初期化を遂行する補助リセットを有するサブフィールドでアドレス放電が充分に起こらないために発生する低放電を防止することができる。【選択図】図３
2006139273.tif 000002
【特許請求の範囲】
【請求項１】
複数の第１電極と複数の第２電極、及び前記第１電極と第２電極に交差する方向に形成される複数の第３電極を含むプラズマ表示パネルを駆動する方法において、
一つのフレームを、各々リセット期間、アドレス期間、及び維持期間を含む複数のサブフィールドに分けて駆動し、
前記維持期間で、
維持放電のために、前記第１電極と前記第２電極に第１電圧を有する複数の維持放電パルスを交互に印加する段階、及び
前記維持期間中の第１期間で、前記第２電極と近く形成される前記第３電極の壁電圧を消去する消去波形を印加する段階
を含むプラズマ表示パネルの駆動方法。
【請求項２】
複数の第１電極と複数の第２電極、及び前記第１電極と第２電極に交差する方向に形成される複数の第３電極を含み、維持期間の間、前記第１電極及び第２電極に交互に維持放電パルスを印加するプラズマ表示パネルを駆動する方法において、
ａ）前記プラズマ表示パネルの温度を感知する段階、及び
ｂ）前記感知された温度が常温より低い場合、前記維持期間の第１期間で、前記第２電極と近く形成される前記第３電極の壁電圧を消去する消去波形を印加する段階
を含むプラズマ表示パネルの駆動方法。
【請求項３】
前記第１期間は、前記維持期間で実質的に前記第２電極に最後の維持放電パルスが印加される期間を含む、請求項１又は２に記載のプラズマ表示パネルの駆動方法。
【請求項４】
前記消去波形は、
前記第２電極に印加される前記維持放電パルスの幅より狭いパルス幅を有するパルス波形である、請求項３に記載のプラズマ表示パネルの駆動方法。
【請求項５】
前記消去波形は、
前記第２電極に印加される前記第１電圧より低い電圧のパルス波形である、請求項３に記載のプラズマ表示パネルの駆動方法。
【請求項６】
前記消去波形は、
前記第２電極に維持放電パルスを印加した後、前記第２電極の電圧を負の電圧でバイアスする波形である、請求項３に記載のプラズマ表示パネルの駆動方法。
【請求項７】
前記消去波形は、
前記第２電極に維持放電パルスが印加される間、前記第３電極の電圧を正の電圧でバイアスする波形である、請求項３に記載のプラズマ表示パネルの駆動方法。
【請求項８】
前記維持期間で、最後の維持放電パルスは前記第１電極に印加される、請求項３に記載のプラズマ表示パネルの駆動方法。
【請求項９】
前記維持期間に繋がるリセット期間で、
前記第１電極に最後の維持放電パルスを印加した後、前記第１電極の電圧を漸進的に減少させる、請求項８に記載のプラズマ表示パネルの駆動方法。
【請求項１０】
複数の走査電極と複数の維持電極、及び前記走査電極と維持電極に交差する方向に形成される複数のアドレス電極を含むプラズマ表示パネル、
前記プラズマ表示パネルの温度を感知する温度感知部、
維持期間で、走査電極及び維持電極に維持放電パルスを印加して、前記走査電極と維持電極との間で維持放電を遂行する駆動部、及び
前記プラズマ表示パネルの温度に応じて、維持期間中の第１期間で、前記アドレス電極に形成される壁電荷が消去されるように前記駆動部を制御する制御部を含む、プラズマ表示装置。
【請求項１１】
前記第１期間で、
前記制御部は、前記プラズマ表示パネルの温度が第１温度より低い場合、前記アドレス電極に形成された壁電荷が消去されるように前記駆動部を制御する、請求項１０に記載のプラズマ表示装置。
【請求項１２】
前記第１期間は、前記維持期間で、前記維持電極に最後の維持放電パルスが印加される期間を含む、請求項１１に記載のプラズマ表示装置。
【請求項１３】
前記駆動部は、前記維持期間に繋がる次のサブフィールドのリセット期間で、前記維持期間の間維持放電が起こった放電セルに対し、初期化を遂行する、請求項１０乃至１２のうちのいずれか一つに記載のプラズマ表示装置。
【発明の詳細な説明】
【技術分野】
【０００１】
本発明は、プラズマ表示パネル（ＰＤＰ）の駆動方法及びプラズマ表示装置に関するものである。
【背景技術】
【０００２】
プラズマ表示装置は、気体放電によって生成されたプラズマを利用して文字又は映像を表示する平面表示装置である。このようなプラズマ表示パネルには、複数の放電セルがマトリックス形態に配列されている。
【０００３】
プラズマ表示装置は、一つのフレームが各々の加重値を有する複数のサブフィールドに分割されて駆動され、各サブフィールドは、リセット期間、アドレス期間、及び維持期間からなる。
【０００４】
リセット期間は、アドレス放電を安定的に行うために放電セルの状態を初期化する期間であり、アドレス期間は、複数の放電セルのうちの点灯されるセルと点灯されないセルを選択する期間である。そして、維持期間は、実際に画像を表示するために点灯されるセルに対して維持放電を遂行する期間である。
【発明の開示】
【発明が解決しようとする課題】
【０００５】
一方、プラズマ表示装置は、パネルの放電電圧及び放電特性が温度に応じて変わる特性を有している。つまり、温度が上昇すると放電電圧が低くなり、温度が下降すると放電電圧が高まる傾向がある。特に、高温では、走査電極（Ｙ）とアドレス電極（Ａ）の対向放電が充分に起こる反面、低温では対向放電が充分に起こらない特性を有している。したがって、図１に示すように、直前のサブフィールドで維持放電が起こった放電セルに対して初期化を遂行する場合には、走査電極（Ｙ）と近いアドレス電極（Ａ）側に形成された壁電荷は消去されるが、維持電極（Ｘ）と近いアドレス電極（Ａ）側に形成された壁電荷は消去されず、多くの電荷が残ることがある。このように多くの電荷が残っていると、以降のアドレス期間でのアドレス放電時に誤放電が起こる恐れがある。
【０００６】
本発明が目的とする技術的課題は、直前のサブフィールドで維持放電が起こった放電セルに対して初期化を遂行する補助リセットを有するサブフィールドの場合、アドレス期間での誤放電を防止することができるプラズマ表示パネルの駆動方法及びプラズマ表示装置を提供することにある。
【課題を解決するための手段】
【０００７】
本発明の一つの特徴によれば、複数の第１電極と複数の第２電極、及び前記第１電極と第２電極に交差する方向に形成される複数の第３電極を含むプラズマ表示パネルを駆動する方法が提供される。この駆動方法は、一つのフレームを、各々リセット期間、アドレス期間、及び維持期間を含む複数のサブフィールドに分けて駆動し、前記維持期間で、維持放電のために、前記第１電極と前記第２電極に第１電圧を有する複数の維持放電パルスを交互に印加する段階、及び前記維持期間中の第１期間で、前記第２電極と近く形成される前記第３電極の壁電圧を消去する消去波形を印加する段階を含む。
【０００８】
そして、本発明の他の特徴によるプラズマ表示パネルの駆動方法は、ａ）前記プラズマ表示パネルの温度を感知する段階、及びｂ）前記感知された温度が常温より低い場合、維持期間の第１期間で、前記第２電極と近く形成される前記第３電極の壁電圧を消去する消去波形を印加する段階を含む。
【０００９】
この時、前記第１期間は、前記維持期間で実質的に前記第２電極に最後の維持放電パルスが印加される期間に相当し、前記維持期間で最後の維持放電パルスは前記第１電極に印加される。
【００１０】
そして、前記消去波形は、前記第２電極に印加される前記維持放電パルスの幅より狭いパルス幅を有するパルス波形であってもよく、前記消去波形は、前記第２電極に印加される前記第１電圧より低い電圧のパルス波形であってもよい。また、前記消去波形は、前記第２電極に維持放電パルスを印加した後、前記第２電極の電圧を負の電圧でバイアスする波形であってもよく、前記消去波形は、前記第２電極に維持放電パルスが印加される間、前記第３電極の電圧を正の電圧でバイアスする波形であってもよい。
【００１１】
そして、この駆動方法は、前記維持期間に繋がるリセット期間で、前記第１電極に最後の維持放電パルスの高い電圧が印加された状態で、前記第１電極の電圧を漸進的に減少させることができる。
【００１２】
本発明の更に他の特徴によれば、複数の走査電極と複数の維持電極、及び前記走査電極と維持電極に交差する方向に形成される複数のアドレス電極を含むプラズマ表示パネルと、リセット期間、アドレス期間、及び維持期間の間、前記走査電極、維持電極、及びアドレス電極に駆動電圧を印加する駆動回路とを含むプラズマ表示装置が提供される。この時、前記駆動回路は、維持期間で、前記走査電極と前記維持電極の電圧の差が正と負を交互に有するように、前記走査電極及び前記維持電極に複数の維持放電パルスを印加し、前記維持期間中の第１期間で、前記アドレス電極に形成される壁電圧を消去する波形を印加する。
【００１３】
前記維持期間に繋がるリセット期間で、前記駆動回路は、直前のサブフィールドで維持放電が起こった放電セルに対して初期化を行う。
【発明の効果】
【００１４】
本発明によれば、プラズマ表示装置は、パネルの温度に応じて放電電圧及び放電特性が変わり、高温では走査電極（Ｙ）とアドレス電極（Ａ）の対向放電が充分に起こり、低温では対向放電が充分に起こらない特性を有している。特に、低温で走査電極（Ｙ）とアドレス電極（Ａ）との間の対向放電が充分に起こらないため、直前のサブフィールドで維持放電が起こった放電セルに対して初期化を遂行する場合には、走査電極（Ｙ）と近いアドレス電極（Ａ）側に形成された壁電荷は消去されるが、維持電極（Ｘ）と近いアドレス電極（Ａ）側に形成された壁電荷は消去されず、多くの電荷が残る恐れがある。このように多くの電荷が残っていると、以降のアドレス期間でのアドレス放電時に誤放電が起こる恐れがあるため、本発明の実施の形態では、低温の場合、維持期間で維持電極（Ｘ）と近く形成されるアドレス電極（Ａ）の壁電圧を消去することができる消去波形を印加することにより、アドレス放電時に誤放電を防止することができる。
【発明を実施するための最良の形態】
【００１５】
以下、添付した図面を参照して、本発明の実施の形態及び実施例について本発明の属する技術分野における通常の知識を有する者が容易に実施できるように詳細に説明する。しかし、本発明は多様な相違した形態で実現でき、ここで説明する実施の形態及び実施例に限定されない。図面においては、本発明を明確に説明するために説明上不要な部分は省略した。明細書全体を通じて類似な部分については同一な図面符号を付けた。
【００１６】
そして、本発明で言及される壁電荷とは、セルの壁（例えば、誘電体層）上で各電極に近く形成される電荷を言う。そして、壁電荷は、実際に電極自体に接触はしないが、ここでは電極に“形成される”、“蓄積される”又は“積まれる”のように説明する。また、壁電圧は、壁電荷によってセルの壁に形成される電位差を言う。
【００１７】
次に、本発明の実施の形態によるプラズマ表示装置及びその駆動方法について詳細に説明する。
【００１８】
まず、本発明の実施の形態によるプラズマ表示装置の概略的な構造について、図２を参照して詳しく説明する。
【００１９】
図２は、本発明の実施の形態によるプラズマ表示装置を示す図である。
【００２０】
図２に示すように、本発明の実施の形態によるプラズマ表示装置は、プラズマ表示パネル１００、制御部２００、アドレス電極駆動部３００、維持電極駆動部４００、走査電極駆動部５００、及び温度感知部６００を含む。
【００２１】
プラズマ表示パネル１００は、列方向に延びている複数のアドレス電極（Ａ１〜Ａｍ）、そして行方向に互いに対を成しながら延びている複数の維持電極（Ｘ１〜Ｘｎ）、及び走査電極（Ｙ１〜Ｙｎ）を含む。維持電極（Ｘ１〜Ｘｎ）は、各走査電極（Ｙ１〜Ｙｎ）に対応して形成されている。そして、プラズマ表示パネル１００は、維持及び走査電極（Ｘ１〜Ｘｎ、Ｙ１〜Ｙｎ）が配列された基板（図示せず）と、アドレス電極（Ａ１〜Ａｍ）が配列された基板（図示せず）とを含む。両基板は、走査電極（Ｙ１〜Ｙｎ）とアドレス電極（Ａ１〜Ａｍ）、及び維持電極（Ｘ１〜Ｘｎ）とアドレス電極（Ａ１〜Ａｍ）が各々直交するように、放電空間を隔てて対向して配置される。この時、アドレス電極（Ａ１〜Ａｍ）と維持及び走査電極（Ｘ１〜Ｘｎ、Ｙ１〜Ｙｎ）の交差部にある放電空間が放電セルを形成する。このようなプラズマ表示パネル１００の構造は一例であり、以下で説明する駆動波形が適用できる他の構造のパネルも本発明に適用することができる。
【００２２】
制御部２００は、外部から映像信号を受信して、アドレス電極駆動制御信号、維持電極駆動制御信号、及び走査電極駆動制御信号を出力し、一つのフレームを各々の輝度加重値を有する複数のサブフィールドに分割して駆動する。この時、制御部２００は、温度感知部６００から伝達を受けたプラズマ表示パネル１００の温度に応じて、維持電極（Ｘ）と近いアドレス電極（Ａ）側に形成された壁電荷を消去できるようにするアドレス電極駆動制御信号、維持電極駆動制御信号、及び走査電極駆動制御信号を出力する。
【００２３】
アドレス電極駆動部３００は、制御部２００からアドレス電極駆動制御信号を受信して、表示しようとする放電セルを選択するための表示データ信号を各アドレス電極に印加する。
【００２４】
維持電極駆動部４００は、制御部２００から維持電極駆動制御信号を受信して、維持電極（Ｘ）に駆動電圧を印加する。
【００２５】
走査電極駆動部５００は、制御部２００から走査電極駆動制御信号を受信して、走査電極（Ｙ）に駆動電圧を印加する。
【００２６】
温度感知部６００は、プラズマ表示パネル１００の温度を感知して制御部２００に伝達する。
【００２７】
次に、本発明の実施の形態によるプラズマ表示装置における制御部の動作について、図３及び図４を参照して詳細に説明する。
【００２８】
図３は、図２に示された制御部の動作を示す図である。
【００２９】
図３に示すように、制御部２００は、温度感知部６００から感知されたプラズマ表示パネル１００の温度の伝達を受け、既に設定された温度（以下、‘常温’とする）と比較する（Ｓ３００−Ｓ３１０）。この時、感知された温度が常温より低ければ、制御部２００は、消去モードを駆動するためのアドレス電極（Ａ）駆動制御信号、維持電極（Ｘ）駆動制御信号、及び走査電極（Ｙ）駆動制御信号を出力する（Ｓ３２０）。反面、制御部２００は、感知された温度が常温であるか又は高温であれば、正常モードを駆動するためのアドレス電極（Ａ）駆動制御信号、維持電極（Ｘ）駆動制御信号、及び走査電極（Ｙ）駆動制御信号を出力する（Ｓ３３０）。ここで、消去モードとは、維持電極（Ｘ）と近いアドレス電極（Ａ）に形成された壁電荷を消去することができる駆動を意味し、正常モードとは、図１に示されているように一般的な駆動波形の駆動を意味する。
【００３０】
図４は、消去モードを駆動するための制御部の動作を示す図である。
【００３１】
図４に示すように、プラズマ表示パネル１００の温度が低温である場合、制御部２００は、消去モードを駆動するためのアドレス電極（Ａ）駆動制御信号、維持電極（Ｘ）駆動制御信号、及び走査電極（Ｙ）駆動制御信号を出力する。まず、制御部２００は、各電極にリセット期間を遂行するための制御信号を出力して、各駆動部３００〜５００でリセット動作を行うことができるようにする（Ｓ４２１）。次に、制御部２００は、各電極にアドレス期間を遂行するための制御信号を出力して、各駆動部３００〜５００でアドレス動作を行うことができるようにする（Ｓ４２２）。その後、制御部２００は、各電極に維持期間を遂行するための制御信号を出力して、各駆動部３００〜５００で維持動作を行うことができるようにする（Ｓ４２３）。この時、走査電極（Ｙ）と維持電極（Ｘ）に交互に維持放電パルスを印加する動作を繰り返し、維持期間で、維持電極（Ｘ）に最後の維持放電パルスが印加される期間に相当する第１期間になったら、制御部２００は各電極に、維持電極（Ｘ）と近いアドレス電極（Ａ）に形成された壁電荷を消去することができる波形を印加するための制御信号を出力する（Ｓ４２４−Ｓ４２５）。
【００３２】
次に、プラズマ表示パネル１００の温度が低温である場合、維持期間の第１期間に印加される消去波形について、図５乃至図８を参照して詳細に説明する。以下では、複数のサブフィールドのうちの二つのサブフィールドだけを示しており、便宜上、二つのサブフィールドを各々第１サブフィールドと第２サブフィールドとした。第１サブフィールドのリセット期間は上昇期間と下降期間からなり、第２サブフィールドのリセット期間が下降期間からなることを示した。つまり、第１サブフィールドのリセット期間では全ての放電セルを初期化し、第２サブフィールドのリセット期間では、第１サブフィールドで維持放電が起こった放電セルに対して初期化を行う。ここで、上昇期間と下降期間からなるリセット期間を“メインリセット期間”に定義し、下降期間だけでなるリセット期間を“補助リセット期間”に定義する。
【００３３】
図５は、本発明の第１実施例によるプラズマ表示パネルの駆動波形図である。
【００３４】
図５に示すように、第１サブフィールドのリセット期間の上昇期間では、維持電極（Ｘ）を０Ｖに維持した状態で、走査電極（Ｙ）の電圧をＶｓ電圧からＶｓｅｔ電圧まで増加させる。そうすると、走査電極（Ｙ）からアドレス電極（Ａ）及び維持電極（Ｘ）に各々弱いリセット放電が起こりながら、走査電極（Ｙ）に（−）の壁電荷が形成され、アドレス電極（Ａ）及び維持電極（Ｘ）に（＋）の壁電荷が形成される。
【００３５】
第１サブフィールドのリセット期間の下降期間では維持電極（Ｘ）をＶｅ電圧に維持させた状態で走査電極（Ｙ）の電圧をＶｓ電圧でＶｎｆ電圧まで減少させる。そうすると、走査電極（Ｙ）の電圧が減少する途中に、走査電極（Ｙ）と維持電極（Ｘ）の間及び走査電極（Ｙ）とアドレス電極（Ａ）の間で弱いリセット放電が起こりながら、走査電極（Ｙ）に形成された（−）壁電荷と維持電極（Ｘ）及びアドレス電極（Ａ）に形成された（＋）壁電荷が消去されて放電セルが初期化される。
【００３６】
次に、第１サブフィールドのアドレス期間では、放電セルを選択するために、走査電極（Ｙ）に順にＶｓｃＬ電圧を有する走査パルスを印加し、ＶｓｃＬ電圧が印加されない走査電極をＶｓｃＨ電圧でバイアスする。この時、ＶｓｃＬ電圧を走査電圧といい、ＶｓｃＨ電圧を非走査電圧ともいう。そして、ＶｓｃＬ電圧が印加された走査電極（Ｙ）によって形成される複数の放電セルのうち、選択しようとする放電セルを通過するアドレス電極（Ａ）にＶａ電圧を有するアドレスパルスを印加し、選択しないアドレス電極（Ａ）は基準電圧（図５では０Ｖ）でバイアスする。そうすると、Ｖａ電圧が印加されたアドレス電極（Ａ）とＶｓｃＬ電圧が印加された走査電極（Ｙ）によって形成される放電セルでアドレス放電が起こりながら、走査電極（Ｙ）には（＋）の壁電荷が形成され、維持電極（Ｘ）には（−）壁電荷が形成される。また、アドレス電極（Ａ）にも（−）壁電荷が形成される。
【００３７】
次に、第１サブフィールドの維持期間では、走査電極（Ｙ）と維持電極（Ｘ）にハイレベル電圧（図５ではＶｓ電圧）とローレベル電圧（図５では０Ｖ）を有する維持放電パルスを反対位相に印加する。つまり、走査電極（Ｙ）にＶｓ電圧が印加される場合に維持電極（Ｘ）に０Ｖ電圧が印加され、維持電極（Ｘ）にＶｓ電圧が印加される場合に走査電極（Ｙ）に０Ｖ電圧が印加される。そうすると、アドレス期間で、アドレス放電によって走査電極（Ｙ）と維持電極（Ｘ）との間に壁電圧が形成されていれば、壁電圧とＶｓ電圧によって走査電極（Ｙ）と維持電極（Ｘ）で放電が起こる。
【００３８】
その後、走査電極（Ｙ）と維持電極（Ｘ）に維持放電パルスを印加する過程が、当該サブフィールドが表示する加重値に対応する回数だけ繰り返される。
【００３９】
本発明の第１実施例によれば、維持期間の第１期間に印加される維持放電パルスの幅を細かい幅にする。ここで、細かい幅パルスとは、維持期間で印加される維持放電パルスと実質的に類似した電圧と維持放電パルスより狭い幅を有するパルスを言う。例えば、走査電極（Ｙ）に印加される維持放電パルスの幅が２〜２.５μsである場合に、第１期間で維持電極（Ｘ）に印加される維持放電パルスの幅を１〜１.５μs程度にすることができる。そして、第１期間は、維持期間で一般的に、維持電極（Ｘ）に最後の維持放電パルスが印加される期間を意味する。
【００４０】
このように、第１期間で、維持電極（Ｘ）に印加される維持放電パルスの幅を細かい幅にすれば、一般的な維持放電とは違って小規模の強い放電が起こり、走査電極（Ｙ）と維持電極（Ｘ）及びアドレス電極（Ａ）に壁電荷が形成されない。したがって、維持電極（Ｘ）とアドレス電極（Ａ）との間に形成される壁電荷の量を減らすことができるので、結局、維持電極（Ｘ）と近く形成されるアドレス電極（Ａ）の壁電荷が減少する。このようになれば、以降の補助リセットによってもアドレス電極に形成された壁電荷を充分に制御することができ、アドレス期間での誤放電を防止することができる。
【００４１】
このようにして第１サブフィールドの維持期間が終了すれば、第２サブフィールドが始まる。第２サブフィールドのリセット期間では、第１サブフィールドの維持期間でＶｓ電圧の維持放電パルスが走査電極（Ｙ）に印加された状態で、走査電極（Ｙ）の電圧をＶｎｆ電圧まで漸進的に減少させる。
【００４２】
この時、第１サブフィールドの維持期間で維持放電が起こった場合には、走査電極（Ｙ）に（−）壁電荷、維持電極（Ｘ）とアドレス電極（Ａ）に（＋）壁電荷が形成されているので、走査電極（Ｙ）の電圧が漸進的に減少する途中で、セルに形成された壁電圧と共に放電開始電圧を超えるようになると、第１サブフィールドのリセット期間の下降期間の場合と同様に弱い放電が起こる。そして、走査電極（Ｙ）の最終電圧（Ｖｎｆ）が第１サブフィールドの下降期間の最終電圧（Ｖｎｆ）と同一であるので、第２サブフィールドの下降期間終了後のセルの壁電荷状態は、第１サブフィールドの下降期間終了後の壁電荷状態と実質的に同一になる。
【００４３】
そして、第１サブフィールドのアドレス期間でアドレス放電が起こらないセルは、第１サブフィールドの下降期間終了後の壁電荷状態をそのまま維持する。第１サブフィールドの下降期間終了後に、セルに形成された壁電圧は、印加電圧と共に放電開始電圧の近くに形成されているので、走査電極（Ｙ）の電圧がＶｎｆ電圧まで減少する場合には放電が起こらない。したがって、このようなセルは、第２サブフィールドのリセット期間で放電が起こらないので、第１サブフィールドのリセット期間で設定された壁電荷状態をそのまま維持する。
【００４４】
このように、リセット期間が下降期間からなるサブフィールドでは、直前のサブフィールドで維持放電がある場合にはリセット放電が起こり、維持放電がない場合にはリセット放電が起こらない。
【００４５】
そして、第２サブフィールドのアドレス期間及び維持期間は第１サブフィールドと同一であるが、但し、第２サブフィールドの維持期間での維持放電パルスの数は、第２サブフィールドの加重値に対応して決定される。
【００４６】
一方、本発明の第１実施例では、維持期間の第１期間で、維持電極（Ｘ）の維持放電パルスの幅を細かい幅にして、維持電極（Ｘ）と近く形成されるアドレス電極（Ａ）の壁電荷の量を減少させたが、これと異なるようにすることもできる。以下では、このような実施例について、図６乃至図８参照して詳細に説明する。
【００４７】
図６乃至図８は、各々本発明の第２乃至第４実施例によるプラズマ表示パネルの駆動波形を示す図である。
【００４８】
まず、図６に示すように、維持期間の第１期間で維持電極（Ｘ）に最後の維持放電パルスを印加した後、維持電極（Ｘ）に負の電圧であるＶｓ１電圧を印加することができる。その後で、走査電極（Ｙ）に最後の維持放電パルスを印加する。
【００４９】
このように、維持電極（Ｘ）にＶｓ電圧の維持放電パルスを印加すれば、維持放電によって維持電極（Ｘ）には（−）壁電荷が形成され、アドレス電極（Ａ）及び走査電極（Ｙ）には（＋）の壁電荷が形成される。この状態で維持電極（Ｘ）に負の電圧が印加されれば、維持電極（Ｘ）と近く形成されるアドレス電極（Ａ）の壁電荷が消去される。したがって、以降の補助リセットでもアドレス電極に形成された壁電荷を充分に制御することができるので、アドレス期間での誤放電を防止することができる。
【００５０】
そして、本発明の第２実施例とは違って、図７に示された本発明の第３実施例のように、維持期間の第１期間で、維持電極（Ｙ）にＶｓ電圧より低いＶｓ２電圧を有する維持放電パルスを印加することもできる。このように、維持電極（Ｘ）にＶｓ電圧より低いＶｓ２電圧を印加すると、放電が起こらないので放電による壁電荷が形成されない。結果的には、アドレス電極（Ａ）だけでなく、全ての電極に形成される壁電荷の量が減少する。したがって、以降の補助リセットでもアドレス電極に形成された壁電荷を充分に制御することができるので、アドレス期間での誤放電を防止することができる。
【００５１】
また、図８に示すように、維持期間の第１期間で、維持電極（Ｘ）にＶｓ電圧を有する最後の維持放電パルスが印加される場合、アドレス電極（Ａ）の電圧を正の電圧でバイアスすることもできる。このように、維持電極（Ｘ）にＶｓ電圧が印加される場合にアドレス電極（Ａ）を正の電圧でバイアスすれば、維持電極（Ｘ）とアドレス電極（Ａ）との間の電圧差が減少するので、維持電極（Ｘ）とアドレス電極（Ａ）との間に形成される壁電荷の量が減少する。したがって、本発明の第１乃至第３実施例と同様に、以降の補助リセットでもアドレス電極に形成された壁電荷を充分に制御することができるので、アドレス期間での誤放電を防止することができる。
【００５２】
一方、本発明の第１乃至第４実施例で示した波形の以外にも、維持電極（Ｘ）と近いアドレス電極（Ａ）側に形成される壁電荷の量を減らすことができる波形であれば、全て可能である。
【００５３】
以上、本発明の好ましい実施例について詳細に説明したが、本発明の権利範囲はこれに限定されるものではなく、特許請求の範囲で定義している本発明の基本概念を利用した当業者のいろいろな変形及び改良形態もまた本発明の権利範囲に属する。
【図面の簡単な説明】
【００５４】
【図１】従来のプラズマ表示パネルの駆動波形を示した図である。
【図２】本発明の実施の形態によるプラズマ表示装置を示す図である。
【図３】図２に示された制御部の動作を示した図である。
【図４】本発明の実施の形態による消去モードを駆動するための制御部の動作を示した図である。
【図５】本発明の第１実施例によるプラズマ表示パネルの駆動波形図である。
【図６】本発明の第２実施例によるプラズマ表示パネルの駆動波形図である。
【図７】本発明の第３実施例によるプラズマ表示パネルの駆動波形図である。
【図８】本発明の第４実施例によるプラズマ表示パネルの駆動波形図である。
【符号の説明】
【００５５】
１００  プラズマ表示パネル
２００  制御部
３００  アドレス電極駆動部
４００  維持電極駆動部
５００  走査電極駆動部
６００  温度感知部
【図１】
2006139273.tif 000003
【図２】
2006139273.tif 000004
【図３】
2006139273.tif 000005
【図４】
2006139273.tif 000006
【図５】
2006139273.tif 000007
【図６】
2006139273.tif 000008
【図７】
2006139273.tif 000009
【図８】
2006139273.tif 000010